(57)【特許請求の範囲】
【請求項１】
浴室内の空気を加熱する加熱手段と、
浴室内の空気を循環送風する循環送風手段と、
浴室内の空気を排気送風する排気送風手段と、
浴室内空気の吸込み部の吸込み圧力を検出する圧力センサと、
これら加熱手段、循環送風手段、排気送風手段の運転の制御、圧力センサ信号を入力する本体制御手段を備え、
前記本体制御手段は、前記圧力センサ信号の出力から、浴室の扉または窓の開閉状態を判断し、
試運転において、浴室の閉鎖状態における圧力センサ信号を平常圧力値として記憶し、前記圧力センサによる検出圧力値が前記平常圧力値よりも小さい状態が所定時間継続した場合に外部に対して報知する浴室暖房乾燥機。
【請求項２】
請求項１記載の前記圧力センサ信号が所定の時間の間に所定の値以上の変化があった場合に、前記本体制御手段が外部に対して報知する浴室暖房乾燥機。
【請求項３】
請求項１記載の本体制御手段と双方向で通信するリモートコントローラを備え、
前記リモートコントローラが、外部に対する出力を行う浴室暖房乾燥機。
【発明の詳細な説明】
【技術分野】
【０００１】
本発明は、浴室暖房乾燥機に関するものである。
【背景技術】
【０００２】
例えば、浴室暖房乾燥機の構成は、次のような構成となっていた。
【０００３】
すなわち、浴室内部の換気、および乾燥を行う際、扉に設けられるガラリより低湿度の空気を浴室内に供給しながら浴室内部の高湿度の空気を排出することで、浴室内の気流を均一にする構成となっていた。（例えば特許文献１参照）
【先行技術文献】
【特許文献】
【０００４】
【特許文献１】特開２００４−１８４０５０号公報
【発明の概要】
【発明が解決しようとする課題】
【０００５】
上記従来例で課題となるのは、扉が開放状態である場合や、窓が開放状態である場合、空気の流入量が増加し、扉や、窓と浴室暖房乾燥機の位置関係から、浴室内の気流を均一にできず、浴室内全体の換気や乾燥ができなくなるということである。例えば、浴室壁面上部に設けられる窓が開放状態である場合、窓と浴室暖房乾燥機間で空気の流れにショートサーキットが発生し、窓の位置より下部の空気が滞留してしまう。
【０００６】
そこで本発明は、効果的な運転の妨げとなる扉や窓の開放を検出することを目的とするものである。
【課題を解決するための手段】
【０００７】
そして、この目的を達成するために本発明は、浴室内の空気を加熱する加熱手段と、浴室内の空気を循環送風する循環送風手段と、浴室内の空気を排気送風する排気送風手段と、浴室内空気の吸込み部の吸込み圧力を検出する圧力センサと、これら加熱手段、循環送風手段、排気送風手段の運転の制御、圧力センサ信号を入力する本体制御手段を備え、前記本体制御手段は、前記圧力センサ信号の出力から、浴室の扉または窓の開閉状態を判断し、試運転において、浴室の閉鎖状態における圧力センサ信号を平常圧力値として記憶し
、前記圧力センサによる検出圧力値が前記平常圧力値よりも小さい状態が所定時間継続した場合に外部に対して報知するものであり、これにより所期の目的を達成するものである。
【発明の効果】
【０００８】
以上のように、本発明は、浴室内の空気を加熱する加熱手段と、浴室内の空気を循環送風する循環送風手段と、浴室内の空気を排気送風する排気送風手段と、浴室内空気の吸込み部の吸込み圧力を検出する圧力センサと、これら加熱手段、循環送風手段、排気送風手段の運転の制御、圧力センサ信号を入力する本体制御手段を備え、前記本体制御手段は、前記圧力センサ信号の出力から、浴室の扉または窓の開閉状態を判断し、外部に対して報知することにより、扉・窓を開閉したままの状態での運転を抑制することになる。従って、乾燥運転時においては、浴室内、衣類の乾燥むらを防止することができる。また、換気運転時には、浴室内の換気むら、浴室内湿気の脱衣室への流出、暖房時の冷気の流入を防止できる。
【図面の簡単な説明】
【０００９】
【図１】本発明の実施の形態１における浴室暖房乾燥機の斜視図
【図２】同浴室暖房乾燥機の本体の垂直断面の構成図
【図３】同浴室暖房乾燥機の本体の構成を示す構成図
【図４】同リモートコントローラの構成を示す構成図
【図５】同開放検知制御を示すフローチャート
【図６】本発明の実施の形態２における同開放検知制御を示すフローチャート
【図７】本発明の実施の形態３における同開放検知制御を示すフローチャート
【発明を実施するための形態】
【００１０】
本発明の請求項１記載の浴室暖房乾燥機は、浴室内の空気を加熱する加熱手段と、浴室内の空気を循環送風する循環送風手段と、浴室内の空気を排気送風する排気送風手段と、浴室内空気の吸込み部の吸込み圧力を検出する圧力センサと、これら加熱手段、循環送風手段、排気送風手段の運転の制御、圧力センサ信号を入力する本体制御手段を備え、前記本体制御手段は、前記圧力センサ信号の出力から、浴室の扉または窓の開閉状態を判断し、外部に対して報知するものである。
【００１１】
これにより、扉・窓を開閉したままの状態での運転を抑制し、乾燥運転時においては、浴室内、衣類の乾燥むらを防止することができる。また、換気運転時には、浴室内の換気むら、浴室内湿気の脱衣室への流出、暖房時の冷気の流入を防止できる。
【００１２】
また、浴室の閉鎖状態における圧力センサ信号を平常圧力値として記憶し、前記圧力センサ信号の値と前記平常圧力値との差が所定の値以上となった場合に外部に対して報知するという構成にしてもよい。
【００１３】
これにより、浴室の閉鎖状態の平常圧力と比較し、浴室の扉または窓の開閉状態を確実に判断でき、扉・窓を開閉したままの状態での運転を抑制することができる。
【００１４】
また、圧力センサ信号が所定の時間の間に所定の値以上の変化があった場合に、前記本体制御手段が外部に対して報知するという構成にしてもよい。
【００１５】
これにより、所定時間内の浴室内への出入り時における外部への報知を防止できる。
【００１６】
また、体制御手段と双方向で通信するリモートコントローラを備え、前記リモートコントローラが、外部に対する出力を行う構成にしてもよい。
【００１７】
これにより、リモートコントローラにより浴室の扉または窓の開閉状態であることを報知できる。
【００１８】
以下、本発明の実施の形態について、図面を参照しながら説明する。
【００１９】
（実施の形態１）
図１は、本発明の実施の形態における浴室暖房乾燥機の斜視図である。
この図１に示すように、浴室１には、ある壁面に窓２が設けられ、他の面には、ガラリ３を備えた扉４が取り付けられている。天井面５には、浴室暖房乾燥機である本体６が取り付けられている。また、浴室１の外側には、リモートコントローラ７が取り付けられている。このリモートコントローラ７と浴室暖房乾燥機の本体６は、浴室壁面内から通信ケーブル８で接続される。
【００２０】
次に、浴室暖房乾燥機の本体６の構成を図２を用いて説明する。
【００２１】
図２に示すように、本体６は、吸込口９と吹出口１０、および排気口１１を有する本体ケース１２を有している。そして、本体ケース１２内には、吸込口９と吹出口１０とを結ぶ循環風路と、吸込口９と排気口１１とを結ぶ排気風路が形成されている。循環風路には、加熱手段としての熱交換器１３と、循環送風手段としての循環用ファンモータ１４が設けられている。排気風路には、換気送風手段としての換気用ファンモータ１５が設けられている。さらに、吸込口９には、吸込圧力検知手段である圧力センサ１６が設けられている。
そして、浴室暖房乾燥機は、これら熱交換器１３、循環用ファンモータ１４、換気用ファンモータ１５の運転制御と、圧力センサ１６の信号が入力される本体制御手段１７を備えている。
【００２２】
次に、本体制御手段１７の構成を図３を用いて説明する。
【００２３】
図３に示すように、本体制御手段１７は、本体制御マイコン１８と、循環用ファンモータ駆動部１９と、換気用ファンモータ駆動部２０と、熱交換器駆動部２１と、信号入力部２２と、本体通信部２３で構成されている。循環用ファンモータ駆動部１９は、循環用ファンモータ１４の駆動を行う。換気用ファンモータ駆動部２０は、換気用ファンモータ１５の駆動を行う。熱交換器駆動部２１は、熱交換器１３の駆動を行う。信号入力部２２は、圧力センサ１６の信号が入力される。本体通信部２３は、リモートコントローラ７との情報伝達を行う。
【００２４】
本体制御マイコン１８は、リモートコントローラ７のリモコン制御手段２４から通信ケーブル８、本体通信部２３を介して送信される情報により、循環用ファンモータ１４の駆動制御、換気用ファンモータ１５の駆動制御、熱交換器１３の加熱制御を行う。
【００２５】
次に、リモートコントローラ７のリモコン制御手段２４について図４を用いて説明する。
【００２６】
図４に示すように、リモコン制御手段２４は、リモコン制御マイコン２５と、リモコン通信部２６と、本体６に対する運転指令を入力する操作部２７と、本体６の運転状態を表示する表示部２８で構成されている。リモコン通信部２６は、本体制御手段１７に設けた本体通信部２３との情報伝達を行う。
【００２７】
リモコン制御マイコン２５は、操作部２７に操作情報が入力されると、入力された情報をリモコン通信部２６へ伝達する。また、操作部２７で操作された内容を基に、表示部２８へ本体６の動作状態を表示するように出力する。
【００２８】
リモコン通信部２６は、リモコン制御マイコン２５から出力された情報を本体通信部２３に通信ケーブル８を介して出力する。また、本体通信部２３から通信ケーブル８を介してリモコン通信部２６に入力される本体６からの情報も表示部２８に表示する。
【００２９】
以上の構成において、次に動作を説明する。
【００３０】
まず、試運転を行って、基準となる平常圧力（Ｐ０）を設定する。すなわち、図５のフローチャートに示すように、窓２および扉４を閉めた状態で本体６の試運転を開始する。
【００３１】
試運転において、本体制御手段１７は、本体制御マイコン１８により、熱交換器１３、循環用ファンモータ１４、換気用ファンモータ１５の運転を開始させる（Ｓ１）。循環用ファンモータ１４、換気用ファンモータ１５の運転によって、吸込口９から浴室１内の空気が吸い込まれる。所定の時間が経過して、定常運転になったと判断したとき、圧力センサ１６により吸込圧力（Ｐ）を検出し、本体制御マイコン１８にその圧力信号が送信される（Ｓ２）。
【００３２】
検出された圧力は、窓２および扉４が閉の状態であるときの平常圧力（Ｐ０）として本体制御マイコン１８によって記憶される（Ｓ３）。平常圧力（Ｐ０）を記憶したら、試運転を終了する（Ｓ４）。
【００３３】
次に、通常運転について説明する。試運転を終了した本体６は、リモートコントローラ７からの指令を待つ待機状態となっている。そして、リモートコントローラ７の操作部２７の操作により運転指令を受信すると（Ｓ５）、本体制御マイコン１８は、操作部２７で操作された運転モードに応じた運転を開始する（Ｓ６）。例えば、乾燥運転の場合は、熱交換器１３、循環用ファンモータ１４、換気用ファンモータ１５が運転する。
【００３４】
そして、この通常運転の間、圧力センサ１６は、吸込圧力（Ｐ１）を検出し（Ｓ７）、操作部２７の操作により本体６の停止指令が入力される（Ｓ９）まで、本体制御マイコン１８は、記憶した平常圧力（Ｐ０）と検出した検出圧力（Ｐ１）の比較を行うこととなる（Ｓ８）。
【００３５】
比較した結果、検出圧力（Ｐ１）＜平常圧力（Ｐ０）となると、本体制御マイコン１８は、窓２または、扉４が開放されたと判断する。その判断結果は、リモコン制御手段２４の表示部２８に表示することで外部へ報知する（Ｓ１０）。
【００３６】
本体制御マイコン１８は、報知後も吸込圧力（Ｐ１）の検出を継続し（Ｓ１１）、本体６の停止指令が入力されるまで（Ｓ１２）、平常圧力（Ｐ０）と検出圧力（Ｐ１）との比較を行う（Ｓ１３）。
【００３７】
そして、浴室の窓２および扉４が閉鎖されると、検出圧力（Ｐ１）≧平常圧力（Ｐ０）となる（Ｓ１３）。このように、検出圧力（Ｐ１）≧平常圧力（Ｐ０）の状態を検出した場合には、リモコン制御手段２４の表示部２８に表示していた外部への報知を解除する（Ｓ１４）。さらに、運転継続する場合は、本体制御マイコン１８は、圧力センサ１６により検出される吸込圧力（Ｐ１）と、記憶した平常圧力（Ｐ０）の比較を行うこととなる（Ｓ８）。
【００３８】
なお、本体６の停止指令が入力されたときには（Ｓ１２）、リモコン制御手段２４の表示部２８に表示していた外部への報知を解除し（Ｓ１５）、運転を停止する（Ｓ１６）。また、Ｓ９において、本体６の停止指令が入力されたと判断された場合は、何もせずに本体６を停止させる（Ｓ１６）。
【００３９】
このように、本実施の形態の浴室暖房乾燥機は、運転中に、記憶した平常圧力（Ｐ０）とそのときの検出圧力（Ｐ１）とを比較することによって、窓２あるいは扉４の開放を判断し、外部に報知するものである。窓２あるいは扉４の開放を知らせることによって、ユーザーに対し、浴室の窓２および扉４の閉鎖を促し、効率的に乾燥運転、換気運転を行うことにつながるのである。
【００４０】
以上、本実施の形態１では、外部への報知を表示部２８に表示する構成としたが、外部に報知できれば、音声を用いて聴覚的に報知する手段でもよい。
【００４１】
また、平常圧力（Ｐ０）は試運転にて検出したが、本体制御マイコン１８にあらかじめデーターとして記憶しておいてもよい。
【００４２】
また、窓２または、扉４が開放された条件として、検出圧力（Ｐ１）＜平常圧力（Ｐ０）としたが、Ｐ０−Ｐ１が一定値以上となった場合に外部への報知を行ってもよい。
【００４３】
また、本体６とリモートコントローラ７は、通信ケーブル８により接続される構成としたが、本体６とリモートコントローラ７が通信できればよく、通信ケーブルを用いない電波や赤外線を利用した無線通信でもよい。
【００４４】
（実施の形態２）
本発明の第２の実施の形態における浴室暖房乾燥機について説明する。第２の実施の形態の浴室暖房乾燥機の構成は、第１の実施の形態における浴室暖房乾燥機と同様であり、その説明を省略する。そして、本実施の形態における特徴的な部分、すなわち、本体制御手段１７における窓・扉の開放検出方法について、図６を用いて説明する。図６においても、第１の実施の形態におけるフローチャート（図５）と同じ機能のブロックについては、同じ符号を付している。
【００４５】
まず、試運転を行って、基準となる平常圧力（Ｐ０）を設定する。すなわち、図６のフローチャートに示すように、窓２および扉４を閉めた状態で本体６の試運転を開始する。
【００４６】
本体制御手段１７は、本体制御マイコン１８により、熱交換器１３、循環用ファンモータ１４、換気用ファンモータ１５の運転を開始させる（Ｓ１）。循環用ファンモータ１４、換気用ファンモータ１５の運転によって、吸込口９から浴室１内の空気が吸い込まれる。所定の時間が経過して、定常運転になったと判断したとき、圧力センサ１６により吸込圧力（Ｐ）を検出し、本体制御マイコン１８にその圧力信号が送信される（Ｓ２）。
【００４７】
検出された圧力は、窓２および扉４が閉の状態であるときの平常圧力（Ｐ０）として本体制御マイコン１８によって記憶される（Ｓ３）。平常圧力（Ｐ０）を記憶したら、試運転を終了する（Ｓ４）。
【００４８】
次に、通常運転について説明する。試運転を終了した本体６は、リモートコントローラ７からの指令を待つ待機状態となっている。そして、リモートコントローラ７の操作部２７の操作により運転指令を受信すると（Ｓ５）、本体制御マイコン１８は、操作部２７で操作された運転モードに応じた運転を開始する（Ｓ６）。例えば、乾燥運転の場合は、熱交換器１３、循環用ファンモータ１４、換気用ファンモータ１５を運転させる。
【００４９】
そして、この通常運転の間、圧力センサ１６は、吸込圧力（Ｐ１）を検出し（Ｓ７）、操作部２７の操作により本体６の停止指令が入力される（Ｓ９）まで、本体制御マイコン１８は、記憶した平常圧力（Ｐ０）と検出した検出圧力（Ｐ１）の比較を行うこととなる（Ｓ８）。
【００５０】
比較した結果、検出圧力（Ｐ１）＜平常圧力（Ｐ０）となると、本体制御マイコン１８は、窓２または、扉４が開放されたと判断する。次に、この状態Ｐ１＜Ｐ０の経過時間（Ｔ）の積算を行う（Ｓ１７）。そして、Ｐ１＜Ｐ０の経過時間（Ｔ）が本体制御マイコン１８に予め記憶されているＴ０に達すると（Ｓ１８）、本体制御マイコン１８は、窓２または、扉４が開放されて一定時間経過したとして、リモコン制御手段２４の表示部２８に表示することで外部へ報知する（Ｓ１０）。
【００５１】
本体制御マイコン１８は、報知後も吸込圧力（Ｐ１）の検出を継続し（Ｓ１１）、本体６の停止指令が入力されるまで（Ｓ１２）、平常圧力（Ｐ０）と検出圧力（Ｐ１）との比較を行う（Ｓ１３）。
【００５２】
そして、浴室の窓２および扉４が閉鎖されると、検出圧力（Ｐ１）≧平常圧力（Ｐ０）となる（Ｓ１３）。このように、検出圧力（Ｐ１）≧平常圧力（Ｐ０）の状態を検出した場合には、リモコン制御手段２４の表示部２８に表示していた外部への報知を解除する（Ｓ１４）。そして、Ｐ１＜Ｐ０の経過時間（Ｔ）の積算時間もリセットする（Ｓ１９）。さらに運転継続する場合は、本体制御マイコン１８は、圧力センサ１６により検出される吸込圧力（Ｐ１）と、記憶した平常圧力（Ｐ０）との比較を行うこととなる（Ｓ８）。
【００５３】
なお、本体６の停止指令が入力されたときには（Ｓ１２）、リモコン制御手段２４の表示部２８に表示していた外部への報知を解除し（Ｓ１５）、運転を停止する（Ｓ１６）。      
【００５４】
また、Ｓ９において、本体６の停止指令が入力されたと判断された場合は、本体６は停止する（Ｓ１６）。
【００５５】
このように、本実施の形態の浴室暖房乾燥機は、運転中に、記憶した平常圧力（Ｐ０）とそのときの検出圧力（Ｐ１）とを比較することによって、窓２あるいは扉４の開放を判断し、外部に報知するものである。窓２あるいは扉４の開放を知らせることによって、ユーザーに対し、浴室の窓２および扉４の閉鎖を促し、効率的に乾燥運転、換気運転を行うことにつながるのである。
【００５６】
また、検出圧力（Ｐ１）＜平常圧力（Ｐ０）の状態が所定の時間継続したときに、窓２あるいは扉４の開放と判断するので、例えば、換気運転中や浴室乾燥運転中の浴室内の掃除や、暖房運転中の入浴、衣類乾燥運転時のユーザーの意図した出入り時の外部への報知をキャンセルできる。
【００５７】
以上、本実施の形態２では、外部への報知を表示部２８に表示する構成としたが、外部に報知できれば、音声を用いて聴覚的に報知する手段でもよい。
【００５８】
また、平常圧力（Ｐ０）は試運転にて検出したが、本体制御マイコン１８にあらかじめデーターとして記憶しておいてもよい。
【００５９】
また、検出圧力（Ｐ１）＜平常圧力（Ｐ０）としたが、窓２あるいは扉４の開放を判断できればよく、Ｐ０−Ｐ１が一定値以上となった場合に外部への報知を行ってもよい。
【００６０】
また、本体６とリモートコントローラ７は、通信ケーブル８により接続される構成としたが、本体６とリモートコントローラ７が通信できればよく、通信ケーブルを用いない電波や赤外線を利用した無線通信でもよい。
【００６１】
（実施の形態３）
本発明の第３の実施の形態における浴室暖房乾燥機について説明する。第３の実施の形態の浴室暖房乾燥機の構成は、第１の実施の形態における浴室暖房乾燥機と同様であり、その説明を省略する。
【００６２】
そして、本実施の形態における特徴的な部分、すなわち、本体制御手段１７における窓・扉の開放検出方法について、図７を用いて説明する。図７においても、第１、第２の実施の形態におけるフローチャート（図５、図６）と同じ機能のブロックについては、同じ符号を付している。
【００６３】
まず、浴室暖房乾燥機を使用して、浴室の換気・乾燥運転、あるいは、衣類の乾燥運転をする場合、ユーザーは、効果的に乾燥を行うために、浴室の窓２や扉４は閉じ、閉め切った状態で浴室暖房乾燥機の運転を行う。すなわち、リモートコントローラ７の操作部２７の操作により運転指令を入力する（Ｓ５）。この運転指令を受信した本体制御マイコン１８は、操作部２７で操作された運転モードに応じた運転を開始する（Ｓ６）。例えば、乾燥運転の場合は、熱交換器１３、循環用ファンモータ１４、換気用ファンモータ１５を運転させる。
【００６４】
そして、圧力センサ１６は、吸込圧力（ＰＸ）を検出し（Ｓ２１）、運転開始時の吸込圧力（ＰＸ）として本体制御マイコン１８に記憶する（Ｓ２２）。
【００６５】
その後、運転を継続する間、圧力センサ１６で検出される吸込圧力を検出圧力（ＰＡ）として検出し（Ｓ２３）、吸込圧力（ＰＸ）と検出圧力（ＰＡ）との比較を行い、ΔＰ（＝ＰＸ−ＰＡ）が算出される（Ｓ２４）。
【００６６】
そして、算出されたΔＰが本体制御マイコン１８に記憶されている差（α）以上となると（Ｓ２５）、本体制御マイコン１８は、窓２または、扉４が開放されたと判断して、リモコン制御手段２４の表示部２８に表示することで外部へ報知する（Ｓ２７）。
【００６７】
本体制御マイコン１８は、報知後も吸込圧力（ＰＡ）の検出を継続し（Ｓ２８）、本体６の停止指令が入力されるまで（Ｓ２９）、記憶した運転開始時の吸込圧力（ＰＸ）と検出圧力（ＰＡ）との比較を行いΔＰの算出と（Ｓ３０）、ΔＰとαの比較を行う（Ｓ３１）。
【００６８】
そして、浴室の窓２および、扉４が閉鎖されると、ΔＰがα以下となる（Ｓ３１）。このように、ΔＰがα以下となった場合には、リモコン制御手段２４の表示部２８に表示していた外部への報知を解除する（Ｓ３２）。さらに運転継続する場合は、本体制御マイコン１８は、圧力センサ１６により吸込圧力（ＰＡ）を検出し（Ｓ２３）、記憶した運転開始時の吸込圧力（ＰＸ）と比較してΔＰを算出し（Ｓ２４）、ΔＰとαの比較を繰り返し行うこととなる（Ｓ２５）。
【００６９】
一方、Ｓ２６において、本体６の停止指令が入力されたと判断したときには、本体６を停止させる（Ｓ３４）。
【００７０】
このように、本実施の形態の浴室暖房乾燥機は、運転中に、記憶した運転開始時の吸込圧力（ＰＸ）とそのときの検出圧力（ＰＡ）とを比較し、その偏差ΔＰと設定値αとの比較を行うことによって、窓２あるいは扉４の開放を判断し、外部に報知するものである。窓２あるいは扉４の開放を知らせることによって、ユーザーに対し、浴室の窓２および扉４の閉鎖を促し、効率的に乾燥運転、換気運転を行うことにつながるのである。
【００７１】
また、運転開始時の圧力をもとに判断するので、天候、設置状態などの変化があっても窓２あるいは扉４の開放を判断することができる。
【００７２】
以上、本実施の形態３では、ΔＰがα以下となると直ちに外部へ報知する構成としたが、
第２の実施の形態と同様に、ΔＰがα以下となった時間を積算し、一定時間経過後に報知する手段を付加してもよい。
【産業上の利用可能性】
【００７３】
以上のように、本発明の浴室暖房乾燥機は、室内空気の吸込み部に吸込み圧力を検出する圧力センサを配置し、この圧力センサ信号の出力から、浴室の扉または窓の開閉状態を判断し、外部に対して報知できるため、窓や扉からの空気の流入により発生する、乾燥時の浴室内、衣類の乾燥むら、換気時の換気むら、浴室内湿気の脱衣室への流出、暖房時の冷気の流入を防止できる浴室暖房乾燥機を提供できる。
したがって、例えば、サウナ装置、加湿装置、冷却装置、植物育成設備等への活用が期待される。
【００７４】
また、きのこ栽培等、空気の流入、流出の防止が必要な設備にも利用することが可能である。
【符号の説明】
【００７５】
１      浴室
２      窓
３      ガラリ
４      扉
５      天井面
６      本体
７      リモートコントローラ
８      通信ケーブル
９      吸込口
１０    吹出口
１１    排気口
１２    本体ケース
１３    熱交換器
１４    循環用ファンモータ
１５    換気用ファンモータ
１６    圧力センサ
１７    本体制御手段
１８    本体制御マイコン
１９    循環用ファンモータ駆動部
２０    換気用ファンモータ駆動部
２１    熱交換器駆動部
２２    信号入力部
２３    本体通信部
２４    リモコン制御手段
２５    リモコン制御マイコン
２６    リモコン通信部
２７    操作部
２８    表示部
【図１】
0006667064.tif 000002
【図２】
0006667064.tif 000003
【図３】
0006667064.tif 000004
【図４】
0006667064.tif 000005
【図５】
0006667064.tif 000006
【図６】
0006667064.tif 000007
【図７】
0006667064.tif 000008